(57)【要約】【課題】バックアッププレート上の堆積紙幣の枚数が増大した場合においても堆積紙幣束の形状を幅方向中央部を上向きに膨出させた形状（逆Ｕ字状）に維持して紙幣束後端部の浮き上がりを効果的に防止する。【解決手段】積層される紙幣の幅方向中央部を上向きに膨出させる凸部３ａを幅方向上面中央部に備え、且つ上向きに弾性付勢されたバックアッププレート３ａと、バックアッププレート上に昇降して紙幣の幅方向両端部側の上面を夫々抑える一対の押し込み部材と、一対の押し込み部材間の開口内を相対的に昇降する紙幣ガイド部材と、を備え、各押し込み部材は、凸部により膨出した紙幣の幅方向中央部を回避した幅方向両端部側上面を抑える。【選択図】図１
2013058072.tif 000002
【特許請求の範囲】
【請求項１】
搬送経路を長手方向に沿って搬送されてきた紙幣を収納したり該搬送経路へ出金する紙幣還流装置であって、
前記搬送経路を搬送されてきた前記紙幣を収納する紙幣収納部と、該紙幣収納部と前記搬送経路との間で紙幣を入金方向及び出金方向へ双方向移動させる給紙ローラ群と、回転することにより前記バックアッププレート上の紙幣後端部の幅方向両端側上面を下向きに押圧する羽根を有したスイーパと、を備え、
前記紙幣収納部は、前記搬送経路を搬送されてきた前記紙幣を上下方向へ積層すると共に、積層される該紙幣の幅方向中央部を上向きに膨出させる凸部を幅方向上面中央部に備え、且つ上向きに弾性付勢されたバックアッププレートと、該バックアッププレート上に昇降して該バックアッププレート上の紙幣の幅方向両端部側の上面を夫々抑える一対の押し込み部材と、該一対の押し込み部材間の開口内を相対的に昇降する紙幣ガイド部材と、を備え、
前記各押し込み部材は、前記凸部により膨出した前記紙幣の幅方向中央部を回避した幅方向両端部側上面を抑えることにより前記バックアッププレート上の紙幣後端部をも逆Ｕ字状に保持し続けることを特徴とする紙幣還流装置。
【発明の詳細な説明】
【技術分野】
【０００１】
本発明は、紙幣を収納したり釣銭として払出す入出金機能を備えた紙幣還流装置の改良に関する。
【背景技術】
【０００２】
投入された紙幣を受け入れる入金機能や、釣り銭や払出し金として紙幣を払い出す出金機能を備えた紙幣還流装置は、各種自動販売機、入出金装置、両替機等の紙幣取扱装置に装備されており、この紙幣還流装置としては、始業時に準備した紙幣、或いは稼働中に投入された紙幣を金種別に収納しておき、必要に応じて釣銭として払い出すように構成されたものが知られている。
【０００３】
図５（ａ）及び（ｂ）は夫々従来の紙幣還流装置の入金時ポジション、及び出金時ポジションを示す説明図である。
この紙幣還流装置２００は、図示しない紙幣入金部から投入された紙幣を収納方向と出金方向の双方向へ搬送可能な搬送経路と連通しており、該搬送経路を搬送されてきた紙幣を収納（入金）したり該搬送経路へ繰出す手段である。紙幣は、紙幣の長手方向を搬送方向と並行にして搬送される。
紙幣還流装置２００は、紙幣収納部２０１と、紙幣収納部と搬送経路との間で紙幣を双方向へ移動させる正逆転可能な給紙ローラ群２５０と、給紙ローラ群を駆動するモータ、ギヤ群等の図示しない駆動機構と、図示しない制御手段と、を備える。
紙幣収納部２０１は、上面に収納紙幣Ｐを積載し、且つ上下動可能なバックアッププレート２０２と、バックアッププレート２０２上に収納紙幣Pを押し込むために上下動可能であり、且つ紙幣通過用の開口を有した押し込み部材２１０と、押し込み部材を昇降させる図示しないモータ、プーリ、ベルト等からなる昇降機構と、バックアッププレート２０２の上方に位置し押し込み部材２１０の上下動に際して紙幣通過用の開口内を相対的に進退すると共に紙幣の搬送をガイドする紙幣ガイド部材２２０と、バックアッププレートを上昇方向へ付勢する弾性部材２２５と、を備える。
給紙ローラ群２５０は、バックアッププレート２０２上の紙幣上面に接して出金方向へ回転することにより最上部の紙幣を出金する繰出しローラ２５１と、分離ローラ対（フリクションローラ２５２ａ、ストップローラ２５２ｂ）等を備える。
下側のストップローラ２５２ｂの回転軸には弾性材料（ゴム）から成る薄板状の羽根２５３ａを中心部から放射状に突出させたスイーパ２５３が固定されている。  スイーパの羽根は、フリクションローラ２５２ａ、及びストップローラ２５２ｂと干渉しない軸方向両端部等に配置されており、羽根先端部によって紙幣収納部内の紙幣後端部の浮き上がりを押さえ込むように構成されている。
【０００４】
図５（ａ）に示した入金時ポジションでは、押し込み部材２１０が下降してバックアッププレート２０２上の紙幣束Ｐの最上面に接してこれを押し下げることにより、押し込み部材上に投入紙幣Ｐ１の収容空間を形成する。この状態で繰出しローラ２５１とフリクションローラ２５２ａを矢印で示した入金方向へ回転させることにより上記収容空間内に投入紙幣Ｐ１を収容する。続いて押し込み部材２１０だけを上昇させることにより、投入紙幣Ｐ１は押し込み部材に設けた紙幣通過用の開口内を相対的に通過してバックアッププレート上に堆積した紙幣束Ｐ上に移載される。
図５（ａ）に示した入金時ポジションから（ｂ）に示した出金時ポジションに移行させる場合には、押し込み部材２１０を（ｂ）中に示した上昇位置に移動させることによりバックアッププレート上の紙幣束Ｐの最上面を繰出しローラ２５１と接触させる。この状態で繰出しローラ２５１及びフリクションローラ２５２ａを矢印で示した繰出し方向へ回転させることにより最上部の紙幣が紙幣収納部２０１から外部に繰り出される。この際、重送防止手段としてのストップローラ２５２ｂは回転を停止するか、或いは矢印で示した戻し方向へ回転することにより、重送されてきた二枚の紙幣のうちの下側を紙幣収納部２０１側に戻す。
図５（ａ）に示した入金時に反時計回り方向へ回転する過程で個々の羽根２５３ａの先端部を紙幣収納部２０１内に突出させることにより、バックアッププレートと押し込み部材２１０との間に挟まれた紙幣束Ｐ中の折れ癖、膨らみ癖等を有した紙幣Ｐ２の後端部を押さえ込む。バックアッププレート上の紙幣の後端部が浮き上がっている場合には、後続の投入紙幣と衝突して進入を妨げたり、ジャムを起こす虞があるため、スイーパの羽根によって既堆積紙幣の後端部を押さえ込むことによって、分離ローラ対２５２ａ、２５２ｂによって後続紙幣を紙幣押え部材上の収容空間内にスムーズに進入させることが可能となる。
【０００５】
また、押し込み部材２１０は、繰出しローラ２５１との干渉を避けるために、その端部が繰出しローラ２５１の手前側にて終端している。このことも、既堆積紙幣の後端部が浮き上がり易くなる原因となっている。
また、既堆積紙幣の後端部は、その浮き上がり癖が強い場合には、スイーパの羽根によって押えられている期間中だけは下方へ退避するが、羽根からの押え力がなくなった時点で再び浮き上がって後続紙幣と衝突することがある。
【０００６】
ところで、端部がカールしにくい性質を有した円紙幣とは異なり、キネグラムを備えたユーロ紙幣等の海外の紙幣は端部がカールし易い性質を有している。このため、押し込み部材２１０によって抑えられていない堆積紙幣束の後端部に大きな盛り上がりが発生し易くなり、後続の入金紙幣と衝突してジャムを発生させる原因となる。
このような不具合に対処するために、特開２０１０−３３４８８号公報（特許文献１）には、バックアッププレートの幅方向中央部上面に設けた凸部と、スイーパとの協働によってバックアッププレート上に堆積した紙幣を逆Ｕ字状に湾曲させて、紙幣束後端部の浮き上がりを防止するようにした技術が開示されている。
バックアッププレート上の堆積紙幣の枚数が少ない時や、カール紙幣が少ない場合には、凸部により紙幣中央部を上方に湾曲（フォーミング）させる機能と、スイーパによる叩き動作との協働によって、紙幣を長手方向全長に渡って逆Ｕ字状に湾曲さることにより紙幣後端部の浮き上がりを防止することができる。しかし、堆積枚数が例えば５０枚を越えて増大してくると、スイーパによって紙幣束の後端部を叩くだけでは、堆積紙幣束全体を逆Ｕ字状に湾曲変形させて後端部の浮き上がりを防止した状態を維持し続けることが困難であるのが実情である。
【０００７】
また、凸部を設けた場合であっても、既堆積紙幣の後端部の浮き上がり癖が強い場合には、スイーパの羽根によって押えられている間だけ下方に退避するが、羽根からの押え力がなくなった時点で再び浮き上がって後続紙幣と衝突することがある。
【先行技術文献】
【特許文献】
【０００８】
【特許文献１】特開２０１０−３３４８８公報
【発明の概要】
【発明が解決しようとする課題】
【０００９】
このように従来の紙幣還流装置にあっては、紙幣収納部内の既堆積紙幣の後端部の浮き上がりを抑えることによって後続紙幣の進入をスムーズ化するために、バックアッププレートの上面中央部に突設したフォーミング用の凸部と、スイーパとの協働によって堆積紙幣束を全長に渡って逆Ｕ字状に湾曲させるようにしているが、堆積紙幣枚数が増大してくると、凸部とスイーパだけでは紙幣束を長手方向全長に渡って逆Ｕ字状に湾曲させることが困難となり、紙幣後端部の盛り上がりを抑えきれなくなっていた。
特に、押し込み部材は、繰出しローラとの干渉を避けるためにその端部が繰出しローラの手前側にて終端している。このため、既堆積紙幣の後端部が浮き上がり易くなっている。
本発明は上記に鑑みてなされたものであり、バックアッププレート上面の幅方向中央部に突設した凸部と、堆積紙幣後端部を叩いて押さえ込むスイーパとの協働によって、バックアッププレート上に堆積された紙幣束を長手方向全長に渡って逆Ｕ字状に湾曲させるようにした紙幣還流装置において、堆積紙幣の枚数が増大した場合においても堆積紙幣束の形状を幅方向中央部を上向きに膨出させた形状（逆Ｕ字状）に維持して紙幣束後端部の浮き上がりを効果的に防止することを目的としている。
【課題を解決するための手段】
【００１０】
上記目的を達成するため、請求項１の発明は、搬送経路を長手方向に沿って搬送されてきた紙幣を収納したり該搬送経路へ出金する紙幣還流装置であって、前記搬送経路を搬送されてきた前記紙幣を収納する紙幣収納部と、該紙幣収納部と前記搬送経路との間で紙幣を入金方向及び出金方向へ双方向移動させる給紙ローラ群と、回転することにより前記バックアッププレート上の紙幣後端部の幅方向両端側上面を下向きに押圧する羽根を有したスイーパと、を備え、前記紙幣収納部は、前記搬送経路を搬送されてきた前記紙幣を上下方向へ積層すると共に、積層される該紙幣の幅方向中央部を上向きに膨出させる凸部を幅方向上面中央部に備え、且つ上向きに弾性付勢されたバックアッププレートと、該バックアッププレート上に昇降して該バックアッププレート上の紙幣の幅方向両端部側の上面を夫々抑える一対の押し込み部材と、該一対の押し込み部材間の開口内を相対的に昇降する紙幣ガイド部材と、を備え、前記各押し込み部材は、前記凸部により膨出した前記紙幣の幅方向中央部を回避した幅方向両端部側上面を抑えることにより前記バックアッププレート上の紙幣後端部をも逆Ｕ字状に保持し続けることを特徴とする。
【発明の効果】
【００１１】
本発明によれば、バックアッププレート上面の幅方向中央部に突設した凸部と、堆積紙幣後端部を叩いて押さえ込むスイーパとの協働によって、バックアッププレート上に堆積された紙幣束を長手方向全長に渡って逆Ｕ字状に湾曲させるようにした紙幣還流装置において、押し込み部材によって堆積紙幣の幅方向両端部を押さえ込むようにしたので、堆積紙幣の枚数が増大した場合においても堆積紙幣束の形状を幅方向中央部を上向きに膨出させた形状（逆Ｕ字状）に維持して紙幣束後端部の浮き上がりを効果的に防止することができる。
【図面の簡単な説明】
【００１２】
【図１】（ａ）（ｂ）は本発明に係わる紙幣還流装置の入金手順を説明する説明図であり、各（ａ）（ｂ）中の左図は正面側要部縦断面図であり、右図はＡ−Ａ断面図である。
【図２】（ｃ）（ｄ）は本発明に係わる紙幣還流装置の入金手順を説明する説明図であり、各（ｃ）（ｄ）中の左図は正面側要部縦断面図であり、右図はＡ−Ａ断面図である。
【図３】（ａ）及び（ｂ）は出金時の状態を示す正面図、及びＡ−Ａ断面図である。
【図４】（ａ）乃至（ｄ）はバックアッププレートと一対の押し込み部材の構成及び動作を示す斜視説明図であり、（ｅ）は紙幣がフォーミングされた状態を示す側面図である。
【図５】（ａ）及び（ｂ）は夫々従来の紙幣還流装置の入金時ポジション、及び出金時ポジションを示す説明図である。
【発明を実施するための形態】
【００１３】
以下、図示した実施の形態例に基づいて本発明を詳細に説明する。
図１（ａ）（ｂ）、図２（ｃ）（ｄ）は本発明に係わる紙幣還流装置の入金手順を説明する説明図であり、各図（ａ）乃至（ｄ）中の左図は正面側要部縦断面図であり、右図はＡ−Ａ断面図である。また、図３（ａ）及び（ｂ）は出金時の状態を示す正面図、及びＡ−Ａ断面図であり、図４（ａ）乃至（ｄ）はバックアッププレートと一対の押し込み部材の構成及び動作を示す斜視説明図であり、（ｅ）は紙幣がフォーミングされた状態を示す側面図である。
【００１４】
紙幣還流装置１は、投入された紙幣を受け入れる入金機能や、釣り銭や払出し金として紙幣を払い出す出金機能を備えており、各種自動販売機、入出金装置、両替機等の紙幣取扱装置に装備される。
紙幣還流装置１は、紙幣取扱装置に設けた図示しない紙幣入金部から投入された紙幣を収納方向と出金方向の双方向へ搬送可能な搬送経路と連通し、該搬送経路を搬送されてきた紙幣を収納（入金）したり該搬送経路へ繰出す手段である。本装置において、紙幣は、長手方向一端縁を先頭として長手方向に沿って搬送される。
紙幣還流装置１は、紙幣を上下方向へ積層した状態で収納する紙幣収納部２と、紙幣収納部と搬送経路との間で紙幣を出金方向、及び入金方向へ双方向移動させる給紙ローラ群５０と、スイーパ５５、その他の可動部を駆動するモータ、ギヤ群等の図示しない駆動機構と、駆動機構を制御する制御手段と、を備える。
【００１５】
紙幣収納部２は、上面に収納紙幣を積載し、且つ上下動可能なバックアッププレート３と、バックアッププレートを上方に付勢する弾性部材５と、バックアッププレート３上に収納紙幣Pを押し込むために一体的に上下動可能であり、且つ紙幣通過用の開口１０ａを介して対向配置された一対の押し込み部材１０と、各押し込み部材１０を一体的に昇降させるモータ、プーリ、ベルト等からなる昇降機構と、バックアッププレート３の上方に位置し各押し込み部材１０の上下動に際して紙幣通過用の開口内を相対的に進退すると共に下面にて紙幣の上面に接してその搬送をガイドする紙幣ガイド部材２０と、紙幣収納部２の前端側に固定された紙幣ガイド６０と、を有する。
符号３０は、紙幣収納部２から紙幣を送出する際に送出を完了したか否かを検知する通紙センサであり、通紙センサ３０からの検知信号に基づいて制御手段が所定のタイミングで給紙ローラ群５０，バックアッププレート３、押し込み部材１０，紙幣ガイド部材２０等を駆動する。
【００１６】
本実施形態では、各押し込み部材１０を細幅帯状の板材から構成し、これらを所定の間隔を隔てて並行に対向配置させている。各押し込み部材１０は、図２（ｃ）のように上昇した際に繰出しローラ５１の回転軸５１ａと干渉しないように長さが設定されている。
各押し込み部材１０の上下動に伴って開口１０ａ内を紙幣ガイド部材２０が相対的に上下方向へ通過移動できるようになっている。
【００１７】
給紙ローラ群５０は、バックアッププレート３上の紙幣Ｐ上面に接して出金方向へ回転することにより最上部の紙幣を出金する正逆転可能な繰出しローラ５１と、分離ローラ対５２と、を備える。分離ローラ対５２は、正逆回転する上側のフリクションローラ５３と、下側のストップローラ（重送防止ローラ）５４、とを備える。ストップローラ５４は、紙幣の繰出し時には停止しているか、或いは戻し方向に低速で回転している。
ストップローラ５４の回転軸５４ａ上のストップローラと干渉しない位置には、スイーパ５５が固定されている。スイーパ５５は、回転軸５４ａに固定される中心部材５６と、中心部材５６から放射状に突設された薄板状の弾性羽根５７と、を備えている。少なくとも弾性羽根５７は、ゴム等の弾性部材により構成されている。
【００１８】
スイーパ５５は、図１（ａ）に示した入金時に反時計回り方向へ回転する過程で個々の弾性羽根５７の先端部を紙幣収納部２内に突出させることにより、バックアッププレートと押し込み部材との間に挟まれた紙幣束Ｐ中の折れ癖、膨らみ癖等を有した紙幣の後端部を押さえ込む。バックアッププレート上の紙幣の後端部が浮き上がっている場合には、後続の投入紙幣と衝突して進入を妨げたり、ジャムを起こす虞があるため、スイーパの弾性羽根によって既堆積紙幣の後端部を押さえ込むことによって、分離ローラ対５２によって後続紙幣を紙幣押え部材上の収容空間内にスムーズに進入させることが可能となる。
昇降機構によって押し込み部材１０の高さ位置とバックアッププレート３の高さ位置を変化させ、その結果として繰出しローラ５１と紙幣上面との接触圧力を調整することにより、繰出し時における繰出しローラ５１と紙幣最上面との間の分離圧力を変化させることができる。
【００１９】
制御手段は、昇降機構を駆動することにより押し込み部材１０及びバックアッププレート３を、最下降位置に保持した収納ポジション（図１（ａ））と、該収納ポジションよりも上方の返却ポジション（図１（ｂ））と、該返却ポジションよりも上方の出金ポジション（図３）と、出金ポジションよりも上方の最上点ポジション（図示せず）との間で昇降させ、且つ各ポジションにて停止させることにより、紙幣の収納、収納途中の紙幣の返却、及び収納されていた紙幣の出金を夫々行う。各ポジションは、例えば押し込み部材、或いはバックアッププレートの高さ位置を図示しないフォトセンサ（ポジションセンサ）によって検出することにより知ることができる。
図１（ａ）に示した入金時ポジションでは、一対の押し込み部材１０が下降してバックアッププレート３上の紙幣束Ｐの最上面に接してこれを押し下げることにより、押し込み部材上に投入紙幣Ｐ１の収容空間を形成する。この状態で繰出しローラ５１とフリクションローラ５３を矢印で示した入金方向へ回転させることにより上記収容空間内に投入紙幣Ｐ１を収容する。続いて図１（ｂ）、図２（ｃ）に示したように、投入紙幣の中央部上面を紙幣ガイド部材２０により抑えた状態で押し込み部材１０だけを上昇させることにより、投入紙幣Ｐ１は押し込み部材に設けた紙幣通過用の開口１０ａ内を相対的に通過してバックアッププレート上に堆積した紙幣束Ｐ上に移載される。各押し込み部材１０が投入紙幣Ｐ１の両端部を越えて上昇してから、再び下降することにより投入紙幣の両端部を既堆積紙幣Ｐ上に押さえ込む（図２（ｄ））。
【００２０】
図３に示した出金ポジションでは、押し込み部材１０及びバックアッププレート３を返却ポジションよりも上方に位置させることによりバックアッププレート上の紙幣束Ｐの最上面の紙幣が適切な圧力で繰出しローラ５１と接するように設定されている。更に、バックアッププレート３上の積載紙幣枚数が減少するのに応じて弾性部材５によってバックアッププレートが引き上げられ分離圧力を調整する。この状態で繰出しローラ５１及びフリクションローラ５３を矢印で示した繰出し方向へ回転させることにより最上部の紙幣が紙幣収納部２から外部に繰り出される。この際、重送防止手段としてのストップローラ５４は回転を停止するか、或いは矢印で示した戻し方向へ回転することにより、重送されてきた二枚の紙幣のうちの下側紙幣を紙幣収納部２側に戻す。
【００２１】
本発明の特徴的な構成は、図４（ａ）に示すように、バックアッププレート３の上面に積層される紙幣束Ｐの幅方向中央部を上向きに膨出させる凸部（突条）３ａを、バックアッププレートの幅方向上面中央部に設けた点と、バックアッププレート上の紙幣束の後端部を叩いて浮き上がりを押さえ込むスイーパ５５を設けた点と、入金のために一対の押し込み部材１０がバックアッププレート上に下降した際に、バックアッププレート上に積層された紙幣束の幅方向両端部側の上面を夫々抑えるようにした点にある（図１（ａ）、図４（ｄ）（ｅ））。
凸部３ａは、バックアッププレート３において堆積紙幣を全長に渡って逆Ｕ字状にフォーミングすることができるように、その幅と長手方向長が設定されている。図示した例では、凸部３ａは断面が四角形の柱状体であるが、断面形状を台形としたり、上面を湾曲状に膨出させたり、全体的に円弧状の湾曲面としてもよい。
各押し込み部材１０は、入金時に、凸部３ａにより上向きに膨出した紙幣束の幅方向中央部を回避した幅方向両端部側上面を同時に抑えることにより、紙幣束を長手方向全長に渡って、幅方向中央部を上方に膨出させた湾曲姿勢に変形させるように構成されている。
【００２２】
即ち、バックアッププレートの平坦な上面の幅方向中央部に、堆積される紙幣の幅方向中央部と対応する凸部３ａを紙幣の長手方向と並行な方向に沿って形成することにより、バックアッププレート上に堆積される紙幣の幅方向中央部が幅方向両端部よりも上方に膨出した湾曲状態となるように構成すると共に、図４（ｃ）（ｄ）に示すように入金時にはスイーパ５５によって紙幣束の後端部の浮き上がりを押え、且つ押し込み部材１０によって紙幣束の幅方向両端部をバックアッププレート上に押さえ付けるようにしている。このため、バックアッププレート上の既堆積紙幣の後端部の浮き上がりを確実に防止することができ、紙幣収納部２内に新たに入金されてくる紙幣の先端部が既堆積紙幣の後端部に衝突してジャムを起こすことがなくなる。
特に、バックアッププレート上の紙幣枚数が増大した場合には、凸部３ａを設けただけでは堆積紙幣を逆Ｕ字状にフォーミングし続けることが難しくなり、紙幣後端縁が浮き上がりを起こし易くなる。この場合、スイーパによる押さえ込みのみでは浮き上がりを継続して防止し続けることが難しく、後続紙幣と衝突し易くなる。
これに対して本発明では、入金時に、凸部３ａによる紙幣フォーミング機能と、スイーパ５５による紙幣後端縁押さえ込み機能に加えて、押し込み部材１０によって堆積紙幣の幅方向両端部を押さえ込むようにしたので、逆Ｕ字状のフォーミングを継続して維持することが可能となり、堆積紙幣の後端部の浮き上がりを確実に防止することが可能となる。
【００２３】
押し込み部材１０の先端部は、繰出しローラ５１の回転軸５１ａとの干渉を避けるために短くなっており、紙幣の全長に渡って両側部を押さえ込むことはできない。従って、浮き上がりやすい紙幣後端部の両側部を直接押さえ込むことはできないが、スイーパにより一旦押さえ込まれた紙幣後端部が再度浮き上がることを防止するには十分な長さである。
即ち、繰出しローラ５１の両端部からは回転軸５１ａが突出しており、回転軸５１ａと干渉する経路を昇降する各押し込み部材が回転軸と干渉することを回避するためには、押し込み部材の先端部を切除した構成とする必要がある。一方、スイーパは複数枚の羽根によって断続的に紙幣後端部を押さえる構成であるに過ぎないため、各羽根が紙幣後端部と接していない期間は紙幣後端部が自らの浮き上がり癖によって浮き上がりを起こすことがある。このような不具合に対処するために本発明ではスイーパの羽根によって一旦押さえ込まれた紙幣後端部を押し込み部材によって確実に押さえ込んで紙幣後端部を逆Ｕ字状に保持して浮き上がらないようにしている。
なお、繰出しローラ５１の両端部から回転軸５１ａを突出させる支持構造に代えて、回転軸５１ａの一端部によって繰出しローラを回転自在に軸支した片持ち支持構造とすることにより、一方の押し込み部材の先端部だけを紙幣後端部まで延在させることが可能となる。このように構成した場合には、押し込み部材による紙幣後端部のフォーミングが更に効果的に発揮されることは言うまでもない。
【００２４】
以上のように本発明では、幅方向中央部上面に紙幣フォーミング用の凸部を突設したバックアッププレートと、バックアッププレート上の堆積紙幣の幅方向両端縁を押圧したり押圧解除するために昇降する押し込み部材と、堆積紙幣の幅方向中央部を押さえる紙幣ガイド部材と、堆積紙幣後端部を叩いて押さえ込むスイーパとの協働によって、バックアッププレート上に堆積された紙幣束を長手方向全長に渡って逆Ｕ字状に湾曲させるようにしたので、堆積紙幣の枚数が増大した場合においても堆積紙幣束の形状を幅方向中央部を上向きに膨出させた形状（逆Ｕ字状）に維持して紙幣束後端部の浮き上がりを効果的に防止することができる。
【符号の説明】
【００２５】
１…紙幣還流装置、２…紙幣収納部、３…バックアッププレート、３ａ…凸部、５…弾性部材、１０…押し込み部材、２０…紙幣ガイド部材、３０…通紙センサ、５０…給紙ローラ群、５１…ローラ、５２…分離ローラ対、５３…フリクションローラ、５４…ストップローラ、５４ａ…回転軸、５５…スイーパ、５６…中心部材、５７…弾性羽根、６０…紙幣ガイド
【図１】
2013058072.tif 000003
【図２】
2013058072.tif 000004
【図３】
2013058072.tif 000005
【図４】
2013058072.tif 000006
【図５】
2013058072.tif 000007